(57)【要約】      （修正有）【課題】構造が簡単で、体積が小さく、軽量で安全であり、使用時も収納時も場所を取らず、外からの圧迫に拠って変形したり壊れたりする心配がない鼻メガネを提供する。【解決手段】鼻メガネは、軟質フレーム片１０及びフレーム片のフレーム孔に嵌合するレンズフレーム２０から構成される。該フレーム片は両左右の片区域１０１、１０３を設置し、フレーム片ブリッジ１０２で両片区域１０１、１０３を連結し、一片区域ごとに中空のフレーム孔を穿設し、且つフレーム片ブリッジは通道と右フレーム孔を設置して連結する。他に左右の片区域の間は鼻粱位置に外向き及び内向きの湾曲した鼻パッド１１１、１１２を突出して設置する。また、レンズフレームは外凹槽を設置し、更に左右レンズ区域２２には内凹槽を設置する。この外凹槽によってフレーム片の中空のフレーム孔に嵌入し、内凹槽はレンズ２１を嵌入し、鼻パッドを開いて外側に湾曲し、レンズフレーム２０を鼻梁に立て、レンズフレームを目の前の視物に置く。【選択図】図４
0003196841.tif 000002
【実用新案登録請求の範囲】
【請求項１】
主に軟質フレーム片及びレンズフレームから構成された鼻メガネにおいて、そのうち、
片体形状で、左右に片区域を設置し、両片区域の間の上方にはフレーム片ブリッジを設置して相互に繋ぎ、下方には左右の片区域に相対して湾曲した鼻パッドを突出して設置し、各片区域には中空のフレーム孔を穿設し、フレーム片ブリッジには中空の通道を成形してふたつの中空のフレーム孔と相互に通じ、左右フレーム孔及び通道によってレンズフレームを入れて位置する空間を形成するフレーム片と、
レンズを入れて位置する左右のレンズ区域を設置し、両レンズフレームの間の上方にブリッジを設置して両者を繋ぎ、レンズフレームの外に左右レンズ区域及びブリッジを含み、外凹槽を有し、両レンズ区域には内凹槽を有し、軟質のフレーム片の片区域によって硬質のレンズフレームを外凹槽に嵌入しフレーム孔に位置し、更にフレーム片ブリッジの通道内で固定するレンズフレームとを含むことを特徴とする鼻メガネ。
【請求項２】
前記フレーム片の左右両辺端位置には孔を有することを特徴とする請求項１記載の鼻メガネ。
【請求項３】
前記湾曲した鼻パッドは、単一で外向きに湾曲することを特徴とする請求項１記載の鼻メガネ。
【請求項４】
鼻メガネにおいて、軟質フレーム片上に左右の片区域を設置し、両片区域の間の上方にフレーム片ブリッジを設置して相互に繋ぎ、下方には左右の片区域に相対して湾曲した鼻パッドを突出して設置し、左右の片区域内にレンズを嵌入するレンズ区域を設置し、レンズ区域の外縁には厚凸縁を有し且つ厚凸縁は内凹槽を有することを特徴とする鼻メガネ。
【考案の詳細な説明】
【技術分野】
【０００１】
本考案は、鼻メガネに関するもので、使用が簡単で携帯が便利であり、特に鼻に掛けるメガネの設計である。
【背景技術】
【０００２】
現在、視力を矯正する補助具として、コンタクトレンズ及びマウント式メガネがある。そのうち、マウント式メガネは二支点でレンズを眼の前に掛けるが、先ずテンプルを耳上に掛け、レンズフレーム上の鼻パッドで鼻を挟む。この二点によって、メガネを目に合わせて使用する。
【考案の概要】
【考案が解決しようとする課題】
【０００３】
解決しようとする問題点は、マウント式メガネは体積が大きい、収納が不便、テンプルが圧迫されて歪むのを防止するためにテンプルとレンズフレームの螺合の強さを緩めるため、脱落防止する必要がありという欠点である。
【課題を解決するための手段】
【０００４】
本考案は、基本的に軟質フレーム片及びフレーム片のフレーム孔に嵌合するレンズフレームから構成される。該フレーム片は両左右の片区域を設置し、フレーム片ブリッジで両片区域を連結し、一片区域ごとに中空のフレーム孔を穿設し、且つフレーム片ブリッジは通道と右フレーム孔を設置して連結する。他に左右の片区域の間は鼻粱位置に外向き及び内向きの湾曲した鼻パッドを突出して設置する。また、レンズフレームは外凹槽を設置し、更に左右レンズ区域には内凹槽を設置する。この外凹槽によってフレーム片の中空のフレーム孔に嵌入し、内凹槽はレンズを嵌入し、鼻パッドを開いて外側に湾曲し、レンズフレームを鼻梁に立て、レンズフレームを目の前の視物に置くことを最も主要な特徴とする。
【考案の効果】
【０００５】
本考案の鼻メガネは、構造が簡単で、体積が小さく、軽量で安全であり、使用時も収納時も場所を取らず、外からの圧迫に拠って変形したり壊れたりする心配がないという利点がある。
【図面の簡単な説明】
【０００６】
【図１】本考案の実施例の正面図である。
【図２】図１のＡ方向の断面図である。
【図３】図１のＢ方向の断面図である。
【図４】本考案の立体指示図である。
【図５】本考案の使用指示図である。
【図６】本考案の別の一実施例である。
【図７】図６の断面図である。
【考案を実施するための形態】
【０００７】
本考案の鼻メガネは、軽くて便利、掛け置きが便利、テンプルなしの設計によって、部品が落ちる心配がない新型メガネを提供する。
【０００８】
本考案の鼻メガネは、視力を矯正する者の負担を軽減する。
【０００９】
本考案の鼻メガネは、基本的に軟質フレーム片及びレンズフレームから構成される。フレーム片は、左右の片区域にレンズフレームをその中に嵌合し、フレーム且つ両片区域の間の鼻梁両側及び上方箇所にそれぞれ突出した鼻パッドを設置する。この二鼻パッドは、それぞれ外向き内向きに湾曲し、軟性材質なので弾力性に優れ、フレーム片を鼻梁に立てて使用する。
【００１０】
本考案の鼻メガネは、フレーム片の両箇所に小さい孔を設置し、切口から小孔内に切り入れ、使用者に落下防止チェーンを追加設置しやすくする。
【００１１】
そのうち、レンズフレームは外凹槽を設置し、更に左右レンズ区域には内凹槽を設置し、前外凹槽をフレーム片のフレーム孔内に嵌入して固定し、レンズを固定する。
【実施例１】
【００１２】
本考案の鼻メガネは、上述に挙げた実施可能な実施例で説明し、参考図の図１から図４に示すのは、本考案の基本構造図であり、その基本は、フレーム片１０及びレンズフレーム２０から構成されて組み立てる。
【００１３】
そのうち，フレーム片１０とレンズフレーム２０は、同じ一般メガネフレームであり、フレーム片１０は軟性材質から一片体で成形され、それぞれ左右に片区域１０１、１０２を備える。両片区域１０１、１０２の間の上方にはフレーム片ブリッジ１０３を設置して相互に連結する。それぞれ片区域１０１、１０２には中空のフレーム孔１０４を形成し、フレーム片ブリッジ１０３には中空の通道１０５を設置してふたつの中空のフレーム孔１０４を相互に通じさせ、左右のフレーム孔１０４及び通道１０５を左右レンズ区域２２及びブリッジ２２１を含むレンズフレーム２０に設置する。
【００１４】
他に、フレーム片ブリッジ１０３下方の片区域１０１、１０２左右外側に、湾曲した第一鼻パッド１１１及び第二鼻パッド１１２を相対して突出設置する。
【００１５】
レンズフレーム２０は、レンズ２１を入れる左右レンズ区域２２を設置し、両レンズフレームの間の上方にブリッジ２２１を設置して両者連結し、これによって一般メガネの形式となる。そのうちレンズフレーム２０外には左右のレンズ区域２２及びブリッジ２２１を含み、外凹槽２４を設置し、両レンズ区域２２には内凹槽２３を設置し、軟質のフレーム片１０の片区域１０１、１０２によって硬質のレンズフレーム２０を外凹槽２４に嵌入してフレーム孔１０４に設置することで、更にフレーム片ブリッジ１０３の通道１０５内で固定する。
【００１６】
以上の構造の組み立て後、メガネをかける時、ただ片区域１０１、１０２の第一鼻パッド１１１を外向きに湾曲し、更に第二鼻パッド１１２を内向きに湾曲し、鼻梁で支えるだけで、突出した第一鼻パッド１１１及び第二鼻パッド１１２の回復力によって、鼻梁をしっかりと挟持し、フレーム片１０を支持してレンズフレーム２０を眼前の前方へ位置させる。
【００１７】
図５に示すのは、使用の安全習慣を提供する。フレーム片１０左右両辺端位置に孔１２を穿設し、鋭角の切口１３で孔１２を開け、孔１２内にチェーン４０を掛ける。切口１３を鋭角にすることによって、チェーン１２が外れてしまうのを防止する。このチェーン４０は耳部から下を通り、掛けた時の安定性を高め、掛けて使用しない時に首にかけておく。
【実施例２】
【００１８】
本考案の鼻メガネは、図６及び図７に示すのは別の実施例であり、軟質フレーム片１０上に左右の片区域１０１、１０２を設置し、両片区域１０１、１０２の間の上方にフレーム片ブリッジ１０３を設置して相互に繋ぎ、下方には左右の片区域１０１、１０２には相対して湾曲した第一鼻パッド１１１及び第二鼻パッド１１２を突出して設置する。そのうち左右の片区域１０１、１０２にはレンズ２１を嵌入するレンズ区域２２を設置し、レンズ区域２２外縁には厚凸縁１０６を成形し、且つ厚凸縁１０６には内凹槽２３を設置し、厚凸縁１０６によってレンズ２１を嵌入して使用する。
【００１９】
上述のとおり、本考案の鼻メガネは構造が簡単で、体積が小さく、軽量で安全であり、使用時も収納時も場所を取らず、外からの圧迫に拠って変形したり壊れたりする心配がない。拠って従来のメガネ構造を刷新するため、特許を申請する。
【符号の説明】
【００２０】
１０          フレーム片        
１１１        第一鼻パッド 
１１２        第二鼻パッド
１２          孔       
１３          切口
１０１        片区域
１０２        片区域     
１０３        フレーム片ブリッジ
１０４        フレーム孔
１０５        通道
１０６        厚凸縁
２０          レンズフレーム
２１          レンズ
２２          レンズ区域
２２１        ブリッジ
２３          内凹槽
２４          外凹槽
４０          チェーン
【図１】
0003196841.tif 000003
【図２】
0003196841.tif 000004
【図３】
0003196841.tif 000005
【図４】
0003196841.tif 000006
【図５】
0003196841.tif 000007
【図６】
0003196841.tif 000008
【図７】
0003196841.tif 000009
【手続補正書】
【提出日】平成27年2月4日(2015.2.4)
【手続補正１】
【補正対象書類名】実用新案登録請求の範囲
【補正対象項目名】全文
【補正方法】変更
【補正の内容】
【実用新案登録請求の範囲】
【請求項１】
主に軟質フレーム片及びレンズフレームから構成された鼻メガネにおいて、そのうち、
片体形状で、左右に片区域を設置し、両片区域の間の上方にはフレーム片ブリッジを設置して相互に繋ぎ、下方には左右の片区域に相対して湾曲した鼻パッドを突出して設置し、各片区域には中空のフレーム孔を穿設し、フレーム片ブリッジには中空の通道を成形してふたつの中空のフレーム孔と相互に通じ、左右フレーム孔及び通道によってレンズフレームを入れて位置する空間を形成するフレーム片と、
レンズを入れて位置する左右のレンズ区域を設置し、両レンズフレームの間の上方にブリッジを設置して両者を繋ぎ、レンズフレームの外に左右レンズ区域及びブリッジを含み、外凹槽を有し、両レンズ区域には内凹槽を有し、軟質のフレーム片の片区域を硬質のレンズフレームの外凹槽に嵌入しフレーム孔に位置し、更にフレーム片ブリッジの通道内で固定するレンズフレームとを含むことを特徴とする鼻メガネ。
【請求項２】
前記フレーム片の左右両辺端位置には孔を有することを特徴とする請求項１記載の鼻メガネ。
【請求項３】
前記湾曲した鼻パッドは、単一で外向きに湾曲することを特徴とする請求項１記載の鼻メガネ。
【請求項４】
鼻メガネにおいて、軟質フレーム片上に左右の片区域を設置し、両片区域の間の上方にフレーム片ブリッジを設置して相互に繋ぎ、下方には左右の片区域に相対して湾曲した鼻パッドを突出して設置し、左右の片区域内にレンズを嵌入するレンズ区域を設置し、レンズ区域の外縁には厚凸縁を有し且つ厚凸縁は内凹槽を有することを特徴とする鼻メガネ。